(57)【要約】【課題】従来、上壁部に電極部が設けられた金属缶タイプの電池セルと、電池セルを支持したホルダと、を備えた組電池が、知られているが、例えば、より不都合の少ない新規な構成の組電池が得られれば、より好ましい。【解決手段】本実施形態の蓄電池装置は、透孔を有した複数の電池セルと、前記透孔に挿通する円筒中空状のパイプと、前記パイプの中空部に挿入される棒と、前記複数の電池セル同士の対面部に絶縁板と、を有している。【選択図】図１
2017216087.tif 000002
【特許請求の範囲】
【請求項１】
透孔を有した複数の電池セルと、
前記透孔に挿通する円筒中空状のパイプと、
前記パイプの中空部に挿入される棒と、
前記複数の電池セル同士の対面部に絶縁板と、
を備えた組電池。
【発明の詳細な説明】
【技術分野】
【０００１】
本発明の実施形態は、組電池に関する。
【背景技術】
【０００２】
従来、上壁部に電極部が設けられた金属缶タイプの電池セルと、電池セルを支持したホ
ルダと、を備えた組電池が、知られている。
【先行技術文献】
【特許文献】
【０００３】
【特許文献１】再表２０１３−０７３０４６号公報
【発明の概要】
【発明が解決しようとする課題】
【０００４】
この種の組電池では、例えば、より不都合の少ない新規な構成が得られれば、好ましい
。
【課題を解決するための手段】
【０００５】
上記の課題を解決するために、本実施形態の組電池は、
透孔を有した複数の電池セルと、
前記透孔に挿通する円筒中空状のパイプと、
前記パイプの中空部に挿入される棒と、
前記複数の電池セル同士の対面部に絶縁板と、
を有している。
【図面の簡単な説明】
【０００６】
【図１】実施形態に係る電池セルの斜視図。
【図２】第１の実施形態に係る組電池の分解斜視図。
【図３】第２の実施形態に係るスペーサの斜視図。
【図４】第２の実施形態に係る図３のＡ―Ａ´線に沿う断面を矢印方向から見た、スペーサの断面図。
【図５】第２の実施形態に係る組電池の分解斜視図。
【図６】第２の実施形態の変形例１に係る組電池の分解斜視図。
【図７】第３の実施形態に係る組電池の分解斜視図。
【発明を実施するための形態】
【０００７】
以下、本発明の例示的な実施形態が開示される。以下に示される実施形態の構成、なら
びに当該構成によってもたらされる作用および結果（効果）は、一例である。本発明は、
以下の実施形態に開示される構成以外によっても実現可能である。また、本発明によれば
、構成によって得られる種々の効果（派生的な効果も含む）のうち少なくとも一つが得ら
れうる。
【０００８】
以下、実施形態を図面に基づき説明する。
【０００９】
（第１の実施形態）
図１は実施形態に係る電池セル２の斜視図である。電池セル２は、筐体２０と、一対の
電極部２５と、を有する。電極部２５のうち一方は正極部２５Ａであり、他方は負極部２
５Ｂである
【００１０】
電池セル２は、例えば、リチウムイオン二次電池等で構成されている。なお、電池セル
２は、ニッケル水素電池や、ニッケルカドミウム電池等、他の二次電池であってもよい。
リチウムイオン二次電池は、非水電解質二次電池の一種であり、電解質中のリチウムイオ
ンが電気伝導を担う。正極材料としては、例えば、リチウムマンガン複合酸化物や、リチ
ウムニッケル複合酸化物、リチウムコバルト複合酸化物、リチウムニッケルコバルト複合
酸化物、リチウムマンガンコバルト複合酸化物、スピネル型リチウムマンガンニッケル複
合酸化物、オリビン構造を有するリチウムリン酸化物等が用いられ、負極材料としては、
例えば、チタン酸リチウム（ＬＴＯ）等の酸化物系材料や、ニオブ複合酸化物等の酸化物
材料等が用いられる。また、電解質（例えば、電解液）としては、フッ素系錯塩（例えば
ＬｉＢＦ４、ＬｉＰＦ６）等のリチウム塩が配合された、例えば、炭酸エチレンや、炭酸
プロピレン、炭酸ジエチル、炭酸エチルメチル、炭酸ジメチル等の有機溶媒等が単独であ
るいは複数混合されて用いられる。電池セル２は、単電池等とも称されうる。
【００１１】
図１に示されるように、電池セル２の筐体２０は、Ｘ方向に薄い扁平な直方体状に構成
されている。また、筐体２０は、複数の壁部２０ａ〜２０ｆを有する。壁部２０ｅおよび
壁部２０ｆは、いずれも、Ｘ方向と直交する方向、すなわちＹ方向およびＺ方向に沿って
おり、Ｘ方向に間隔をあけて互いに平行に設けられている。壁部２０ｅ，２０ｆのうち一
方は、底壁部や下壁部等と称され、他方は、天壁部や上壁部等と称されうる。また、壁部
２０ａ〜２０ｄは、壁部２０ｅの周縁部に位置され、当該壁部２０ｅと壁部２０ｆとの間
に亘っている。本実施形態では、壁部２０ｆは、第三の壁部の一例であり、壁部２０ｅは
、第四の壁部の一例であり、壁部２０ａ〜２０ｄは、第五の壁部の一例である。筐体２０
は例えばＳＵＳにより形成されている。
【００１２】
また、電池セル２は例えば図１に示されるように、壁部２０ｆには少なくとも２つの開
口部２０ｒが構成されている。
【００１３】
本実施形態の組電池１は、図２に示したように、複数の電池セル２を積層が積層され、
さらに円筒状のパイプ４０を開口部２０ｒに挿通することで、複数の電池セル２を固定し
ている。パイプ４０は例えば中空円筒の樹脂製部材であり、中空部に金属製の棒５０、例
えばボルトを挿入することができる。パイプ４０の円筒長軸方向の長さは、複数の電池セ
ル２を重ね合わせた時のＸ方向の高さ以上であることが好ましい。また、パイプ４０に代
えて、円筒状の金属の表面に絶縁コートを施したものであってもよい。さらに、複数の電
池セル２の間には電池セルのＹＺ平面における最大面積に相当する絶縁板３０が挟み込ま
れ、絶縁板３０は複数の開口部３０ｒを有する。
【００１４】
また、電池セル２の開口部２０ｒには、例えば樹脂製のスペーサ７０が設けられている
。スペーサ７０はパイプ４０の長軸に垂直方向の面積に略同一の透孔を有し、スペーサ７
０の透孔にパイプ４０及び棒５０が挿通される。また、スペーサ７０のX軸方向の高さは
、電池セル２のX軸方向の高さよりもわずかに短いことが好ましい。
【００１５】
また、ガス排出弁２０ｇは例えば壁部２０ｃ若しくは２０ａに設けられていることが好
ましい。
【００１６】
以上のような実施形態では、組電池１における複数の電池セル２はパイプ４０と、棒５
０によってＹＺ平面方向の位置が固定され、棒５０の一方の端部に例えばフランジナット
を設けることで、X軸方向の位置を固定することができる。また、スペーサ７０のＺ軸方
向の高さは電池セル２のX軸方向の高さよりも短いため、電池セル同士を棒５０とフラン
ジナットによって電池セル２を固定する際に、電池セル２をX軸方向に圧縮することがで
きる。このため、電池セル２の内部にガスが発生した場合であっても、電池セル２のふく
らみを抑制でき、電池セル２の劣化を抑制することできる。
【００１７】
（第２の実施形態）
第２の実施形態では、パイプの構造等が第１の実施形態と異なる部分がある。したがっ
て、第１の実施形態と同一の箇所には同一の符号を付して、詳細の説明は適宜省略する。
【００１８】
本実施形態における組電池９０では、複数の電池セル２を積層し、さらに図３に示すよ
うな、一端面に凸部を有し、他端面に凹部を有するスペーサ７１を備える。スペーサ７１
のX軸方向の高さは、電池セル２のＸ方向の高さ未満であることが好ましい。またここで
は、スペーサ７１のＺ軸方向の高さは電池セル２のＺ軸方向の高さよりもわずかに短いこ
とが好ましい。さらに、スペーサ７１の凸部は凹部に嵌合する形状を有するが、凸部は凹
部の形状よりもわずかに大きければ好ましい。
【００１９】
また、組電池９０のＺ軸方向における底部に備える絶縁板３０には、スペーサ７１の凸
部と同形状の凸部３０ａを有する。
【００２０】
上記の実施形態２では、組電池９０における複数の電池セル２はスペーサ７１の凸部と
凹部とが嵌合することにより、ＹＺ平面方向の位置が固定され、また、スペーサ７１のの
Ｚ軸方向の高さは電池セル２のＺ軸方向の高さよりも短いため、電池セル同士をスペーサ
７１によって固定する際に、電池セル２をＺ軸方向に圧縮することができる。このため、
電池セル２の内部にガスが発生した場合であっても、電池セル２のふくらみを抑制でき、
電池セル２の劣化を抑制することできる。
【００２１】
また、スペーサ７１の凸部は凹部の形状よりもわずかに大きいので、一度凸部を凹部に
嵌め込んでしまえば、その接続が外れる可能性を低くすることができる。
【００２２】
（第２の実施形態の変形例１）
本実施形態の変形例１では、パイプの構造等が第１の実施形態、第２の実施形態と異な
る部分がある。したがって、第１の実施形態、第２の実施形態と同一の箇所には同一の符
号を付して、詳細の説明は適宜省略する。
【００２３】
図に示すように、第二の実施例の変形例１における組電池９１では、スペーサの凸部お
よび凹部にネジ形状を有する、スペーサ７２を備えている。また、組電池９１のＺ軸方向
における底部に備える絶縁板３０には、スペーサ７２の凹部と同形状の凹部３０ｂを有す
る。
【００２４】
上記の実施形態２の変形例１では、スペーサ７２の凸部と凹部がネジによってかみ合わ
さる為、より強固に電池セル２同士を接続することができる。
【００２５】
（第３の実施形態）
第３の実施形態では、ガス排出弁の位置が第１の実施形態及び第二の実施形態と異なる
部分がある。したがって、第１の実施形態及び第二の実施形態とは同一の箇所には同一の
符号を付して、詳細の説明は適宜省略する。
【００２６】
図に示す通り、本実施形態ではガス排出弁２１ｇは電池セルの２０ｅの例えば中央部に
が設けらた、電池セル２１を用いる。また、複数の電池セル２１が積層した組電池９２で
は、絶縁板の中央部から絶縁板の端部にかけて孔３１ａを有する絶縁板３１を備えている
。
【００２７】
上記の実施形態３では、ガス排出弁２１ｇから電池セル２１の内部のガスが放出した際
、絶縁板３１の孔３１ａを経由して、組電池９２の外部にガスを放出することができる。
【００２８】
本発明のいくつかの実施形態を説明したが、これらの実施形態は、例として提示したも
のであり、発明の範囲を限定することは意図していない。例えば、電池セル２の開口部２
０ｒの数および、開口部２０ｒを挿通するパイプ４０、棒５０、スペーサ７０等の本数は
、図に示すように４つに限られるものではなく、少なくとも電池セル２の片側単側面側2
箇所若しくは、少なくとも電池セル２のＹＺ平面における対角にあたる2箇所によ手固定
されていることが好ましい。これらの実施形態は、その他の様々な形態で実施されること
が可能であり、発明の要旨を逸脱しない範囲で、種々の省略、置き換え、変更を行うこと
ができる。これら実施形態やその変形は、発明の範囲や要旨に含まれると同様に、特許請
求の範囲に記載された発明とその均等の範囲に含まれるものである。
【符号の説明】
【００２９】
１、９０、９１、９２…組電池、２、２１…電池セル、３０、３１…絶縁板、４０…パイ
プ、５０…棒、７０、７１、７２…スペーサ
【図１】
2017216087.tif 000003
【図２】
2017216087.tif 000004
【図３】
2017216087.tif 000005
【図４】
2017216087.tif 000006
【図５】
2017216087.tif 000007
【図６】
2017216087.tif 000008
【図７】
2017216087.tif 000009